(57)【要約】鍵盤装置は、後端部と前端部の間の支点を中心に第１面に沿って回動可能に配置され、第１位置および第１位置より後端側の第２位置において他の部材と第１面に沿って摺動可能に接する第１鍵アセンブリと、第１鍵アセンブリの隣において後端部と前端部の間の支点を中心に第１面に沿って回動可能に配置され、第３位置および当該第３位置より後端側の第４位置において他の部材と第１面に沿って摺動可能に接し、第１鍵アセンブリの回動範囲において、後端部における第１鍵アセンブリまでの最小距離が第２位置における第１鍵アセンブリまでの最小距離よりも大きい関係を有する第２鍵アセンブリと、第１鍵アセンブリの第２鍵アセンブリとは反対側の隣において後端部と前端部の間の支点を中心に第１面に沿って回動可能に配置され、第５位置および当該第５位置より後端側の第６位置において他の部材と第１面に沿って摺動可能に接し、第１鍵アセンブリの回動範囲において、後端部における第１鍵アセンブリまでの最小距離が第２位置における第１鍵アセンブリまでの最小距離よりも大きい関係を有する第３鍵アセンブリと、を備える。
2019186632.tif 000002
【特許請求の範囲】
【請求項１】
後端部と前端部の間の支点を中心に第１面に沿って回動可能に配置され、第１位置および前記第１位置より後端側の第２位置において他の部材と前記第１面に沿って摺動可能に接する第１鍵アセンブリと、
前記第１鍵アセンブリの隣において後端部と前端部の間の支点を中心に前記第１面に沿って回動可能に配置され、第３位置および当該第３位置より後端側の第４位置において他の部材と前記第１面に沿って摺動可能に接し、前記第１鍵アセンブリの回動範囲において、後端部における前記第１鍵アセンブリまでの最小距離が前記第２位置における前記第１鍵アセンブリまでの最小距離よりも大きい関係を有する第２鍵アセンブリと、
前記第１鍵アセンブリの前記第２鍵アセンブリとは反対側の隣において後端部と前端部の間の支点を中心に前記第１面に沿って回動可能に配置され、第５位置および当該第５位置より後端側の第６位置において他の部材と前記第１面に沿って摺動可能に接し、前記第１鍵アセンブリの回動範囲において、後端部における前記第１鍵アセンブリまでの最小距離が前記第２位置における前記第１鍵アセンブリまでの最小距離よりも大きい関係を有する第３鍵アセンブリと、
を備える鍵盤装置。
【請求項２】
前記第１鍵アセンブリは、前記第２位置より後端側に前記第１鍵アセンブリに対して負荷がかかる第７位置を備え、
前記第２鍵アセンブリは、前記第４位置より後端側に前記第１鍵アセンブリに対して負荷がかかる第８位置を備え、前記第１鍵アセンブリの回動範囲において、後端部における前記第１鍵アセンブリまでの最小距離が前記第７位置における前記第１鍵アセンブリまでの最小距離よりも大きい関係を有し、
前記第３鍵アセンブリは、前記第６位置より後端側に前記第１鍵アセンブリに対して負荷がかかる第９位置を備え、前記第１鍵アセンブリの回動範囲において、後端部における前記第１鍵アセンブリまでの最小距離が前記第７位置における前記第１鍵アセンブリまでの最小距離よりも大きい関係を有する、請求項１に記載の鍵盤装置。
【請求項３】
前記第１鍵アセンブリは、前記第２位置より後端側に第１キャプスタンを備え、
前記第２鍵アセンブリは、前記第４位置より後端側に第２キャプスタンを備え、前記第１鍵アセンブリの回動範囲において、後端部における前記第１鍵アセンブリまでの最小距離が前記第１キャプスタンの位置における前記第１鍵アセンブリまでの最小距離よりも大きい関係を有し、
前記第３鍵アセンブリは、前記第６位置より後端側に第３キャプスタンを備え、前記第１鍵アセンブリの回動範囲において、後端部における前記第１鍵アセンブリまでの最小距離が前記第１キャプスタンの位置における前記第１鍵アセンブリまでの最小距離よりも大きい関係を有する、請求項１に記載の鍵盤装置。
【請求項４】
前記第２鍵アセンブリは、前記第１鍵アセンブリの回動範囲において、第１キャプスタンの位置における前記第１鍵アセンブリまでの最小距離が前記第２位置における前記第１鍵アセンブリまでの最小距離よりも大きい関係を有し、
前記第３鍵アセンブリは、前記第１鍵アセンブリの回動範囲において、第１キャプスタンの位置における前記第１鍵アセンブリまでの最小距離が前記第２位置における前記第１鍵アセンブリまでの最小距離よりも大きい関係を有する
請求項３に記載の鍵盤装置。
【請求項５】
前記第１鍵アセンブリは、後端部の鍵幅が前記第２位置の鍵幅よりも小さい関係を有する請求項３に記載の鍵盤装置。
【請求項６】
前記第１鍵アセンブリは、後端部の鍵幅が前記第１キャプスタンの位置の鍵幅よりも小さい関係を有する請求項３に記載の鍵盤装置。
【請求項７】
前記第１鍵アセンブリは、前記第１キャプスタンの位置の鍵幅が前記第２位置の鍵幅よりも小さい関係を有する請求項４に記載の鍵盤装置。
【請求項８】
前記第１鍵アセンブリは、前記第２位置より後端側で鍵幅が不連続に変化する、請求項５に記載の鍵盤装置。
【請求項９】
前記第１鍵アセンブリは、前記第１キャプスタンより後端側で鍵幅が不連続に変化する、請求項６に記載の鍵盤装置。
【請求項１０】
前記第１鍵アセンブリは、前記第２位置から前記第１キャプスタンまでの間で鍵幅が不連続に変化する、請求項７に記載の鍵盤装置。
【請求項１１】
前記第１鍵アセンブリは、後端部の中心軸と前記第２位置の中心軸とが前記第１面に対して垂直方向にずれる、請求項３乃至請求項１０の何れか１項に記載の鍵盤装置。
【請求項１２】
前記第１鍵アセンブリは、後端部の中心軸と前記第１キャプスタンの位置の中心軸とが前記第１面に対して垂直方向にずれる、請求項１１に記載の鍵盤装置。
【請求項１３】
前記第１鍵アセンブリは、前記第１キャプスタンの位置の中心軸と前記第２位置の中心軸とが前記第１面に対して垂直方向にずれる、請求項１２に記載の鍵盤装置。
【請求項１４】
第１面に沿って回動可能に配置され、第１位置および前記第１位置より後端側の第２位置において他の部材と前記第１面に沿って摺動可能に接し、前記第２位置より後端側にキャプスタンを備え、後端部の鍵幅が前記キャプスタンの位置の鍵幅よりも小さい関係を有する鍵アセンブリ、を備える鍵盤装置。
【請求項１５】
前記キャプスタンの位置の鍵幅が前記第２位置の鍵幅よりも小さい関係を有する請求項１４に記載の鍵盤装置。
【発明の詳細な説明】
【技術分野】
【０００１】
本発明は、鍵盤装置に関する。
【背景技術】
【０００２】
鍵盤装置は、並べて配置された複数の鍵を備えている。鍵の押鍵動作は、鍵を回動し、アクション機構を介してハンマーを移動させ、ハンマーの打弦によって発音する。このとき、鍵、アクション機構、およびハンマーの動作は、鍵を介して演奏者の指に感覚（以下、タッチ感という）を与える。このため、複数の鍵の配列精度は、楽器の美観に与える影響だけでなく、鍵盤装置の発音や演奏者に与えるタッチ感に影響する。【０００３】
特許文献１には、鍵盤と鍵アームが相対する面に突部を設け、鍵盤の上下方向の反りを突部によって生じた空隙により吸収することで装着時のばらつきを無くす様にした鍵盤装置が開示されている。
【先行技術文献】
【特許文献】
【０００４】
【特許文献１】実開昭５７−１７５１９５号公報
【発明の概要】
【発明が解決しようとする課題】
【０００５】
グランドピアノ等の鍵盤楽器では、一般的に、鍵の長手方向略中央部において、鍵が棚板に回動可能に支持されている。また、演奏時の押鍵動作による鍵の横ぶれや捻じれを抑制するために、鍵の移動を所定範囲に規制し、鍵と摺動可能に接する鍵ガイドが配置されている。しかしながら、鍵ガイドより後端側では鍵の横方向における規制がない。例えば、環境変化および経年変化などによって鍵がスケール方向へ曲がった場合、隣接する鍵が干渉し、鍵盤装置の発音や演奏者に大きく影響する。相当する構成を有する電子ピアノ等に関しても同様の問題が生じる。しかしながら特許文献１においては、鍵の横方向におけるばらつきに関しては何ら考慮がなされていない。本発明の目的の一つは、鍵の環境変化および経年変化による影響および演奏時の押鍵動作による鍵の横ぶれや捻じれによる影響を抑制することで、鍵盤装置の信頼性を向上することにある。
【課題を解決するための手段】
【０００６】
本発明の一実施形態に係る鍵盤装置は、後端部と前端部の間の支点を中心に第１面に沿って回動可能に配置され、第１位置および前記第１位置より後端側の第２位置において他の部材と前記第１面に沿って摺動可能に接する第１鍵アセンブリと、前記第１鍵アセンブリの隣において後端部と前端部の間の支点を中心に前記第１面に沿って回動可能に配置され、第３位置および当該第３位置より後端側の第４位置において他の部材と前記第１面に沿って摺動可能に接し、前記第１鍵アセンブリの回動範囲において、後端部における前記第１鍵アセンブリまでの最小距離が前記第２位置における前記第１鍵アセンブリまでの最小距離よりも大きい関係を有する第２鍵アセンブリと、前記第１鍵アセンブリの前記第２鍵アセンブリとは反対側の隣において後端部と前端部の間の支点を中心に前記第１面に沿って回動可能に配置され、第５位置および当該第５位置より後端側の第６位置において他の部材と前記第１面に沿って摺動可能に接し、前記第１鍵アセンブリの回動範囲において、後端部における前記第１鍵アセンブリまでの最小距離が前記第２位置における前記第１鍵アセンブリまでの最小距離よりも大きい関係を有する第３鍵アセンブリと、を備える。【０００７】
前記第１鍵アセンブリは、前記第２位置より後端側に前記第１鍵アセンブリに対して負荷がかかる第７位置を備え、前記第２鍵アセンブリは、前記第４位置より後端側に前記第１鍵アセンブリに対して負荷がかかる第８位置を備え、前記第１鍵アセンブリの回動範囲において、後端部における前記第１鍵アセンブリまでの最小距離が前記第７位置における前記第１鍵アセンブリまでの最小距離よりも大きい関係を有し、前記第３鍵アセンブリは、前記第６位置より後端側に前記第１鍵アセンブリに対して負荷がかかる第９位置を備え、前記第１鍵アセンブリの回動範囲において、後端部における前記第１鍵アセンブリまでの最小距離が前記第７位置における前記第１鍵アセンブリまでの最小距離よりも大きい関係を有してもよい。【０００８】
前記第１鍵アセンブリは、前記第２位置より後端側に第１キャプスタンを備え、前記第２鍵アセンブリは、前記第４位置より後端側に第２キャプスタンを備え、前記第１鍵アセンブリの回動範囲において、後端部における前記第１鍵アセンブリまでの最小距離が前記第１キャプスタンの位置における前記第１鍵アセンブリまでの最小距離よりも大きい関係を有し、前記第３鍵アセンブリは、前記第６位置より後端側に第３キャプスタンを備え、前記第１鍵アセンブリの回動範囲において、後端部における前記第１鍵アセンブリまでの最小距離が前記第１キャプスタンの位置における前記第１鍵アセンブリまでの最小距離よりも大きい関係を有してもよい。【０００９】
前記第２鍵アセンブリは、前記第１鍵アセンブリの回動範囲において、第１キャプスタンの位置における前記第１鍵アセンブリまでの最小距離が前記第２位置における前記第１鍵アセンブリまでの最小距離よりも大きい関係を有し、前記第３鍵アセンブリは、前記第１鍵アセンブリの回動範囲において、第１キャプスタンの位置における前記第１鍵アセンブリまでの最小距離が前記第２位置における前記第１鍵アセンブリまでの最小距離よりも大きい関係を有してもよい。【００１０】
前記第１鍵アセンブリは、後端部の鍵幅が前記第２位置の鍵幅よりも小さい関係を有してもよい。【００１１】
前記第１鍵アセンブリは、後端部の鍵幅が前記第１キャプスタンの位置の鍵幅よりも小さい関係を有してもよい。【００１２】
前記第１鍵アセンブリは、前記第１キャプスタンの位置の鍵幅が前記第２位置の鍵幅よりも小さい関係を有してもよい。【００１３】
前記第１鍵アセンブリは、前記第２位置より後端側で鍵幅が不連続に変化してもよい。【００１４】
前記第１鍵アセンブリは、前記第１キャプスタンより後端側で鍵幅が不連続に変化してもよい。【００１５】
前記第１鍵アセンブリは、前記第２位置から前記第１キャプスタンまでの間で鍵幅が不連続に変化してもよい。【００１６】
前記第１鍵アセンブリは、後端部の中心軸と前記第２位置の中心軸とが前記第１面に対して垂直方向にずれてもよい。【００１７】
前記第１鍵アセンブリは、後端部の中心軸と前記第１キャプスタンの位置の中心軸とが前記第１面に対して垂直方向にずれてもよい。【００１８】
前記第１鍵アセンブリは、前記第１キャプスタンの位置の中心軸と前記第２位置の中心軸とが前記第１面に対して垂直方向にずれてもよい。【００１９】
本発明の一実施形態に係る鍵盤装置は、第１面に沿って回動可能に配置され、第１位置および前記第１位置より後端側の第２位置において他の部材と前記第１面に沿って摺動可能に接し、前記第２位置より後端側にキャプスタンを備え、後端部の鍵幅が前記キャプスタンの位置の鍵幅よりも小さい関係を有する鍵アセンブリ、を備える。【００２０】
前記キャプスタンの位置の鍵幅が前記第２位置の鍵幅よりも小さい関係を有してもよい。
【発明の効果】
【００２１】
本発明によれば、鍵の環境変化および経年変化による影響および演奏時の押鍵動作による鍵の横ぶれや捻じれによる影響を抑制することで、鍵盤装置の信頼性を向上することができる。
【図面の簡単な説明】
【００２２】
【図１】本発明の一実施形態における鍵盤装置の鍵盤アセンブリを示す図である。
【図２】本発明の一実施形態における鍵盤装置の鍵アセンブリを示す上面図である。
【図３】本発明の一実施形態における鍵盤装置の鍵アセンブリを示す背面図である。
【図４】本発明の一実施形態における鍵盤装置の鍵アセンブリを示す断面図である。
【図５】本発明の一実施形態における鍵盤装置の鍵アセンブリを示す断面図である。
【図６】本発明の一実施形態における鍵盤装置の鍵アセンブリを示す上面図である。
【図７】本発明の一実施形態における鍵盤装置の鍵アセンブリを示す背面図である。
【図８】本発明の一実施形態における鍵盤装置の鍵アセンブリを示す断面図である。
【図９】本発明の一実施形態における鍵盤装置の鍵アセンブリを示す断面図である。
【図１０】本発明の一実施形態における鍵盤装置の鍵アセンブリを示す上面図である。
【図１１】本発明の一実施形態における鍵盤装置の鍵アセンブリを示す背面図である。
【図１２】本発明の一実施形態における鍵盤装置の鍵アセンブリを示す断面図である。
【図１３】本発明の一実施形態における鍵盤装置の鍵アセンブリを示す断面図である。
【図１４】本発明の一実施形態における鍵盤装置の鍵アセンブリを示す上面図である。
【図１５】本発明の一実施形態における鍵盤装置の鍵アセンブリを示す上面図である。
【図１６】本発明の一実施形態における鍵盤装置の鍵アセンブリを示す上面図である。
【図１７】本発明の一実施形態における鍵盤装置の鍵アセンブリを示す上面図である。
【図１８】本発明の変形例における鍵盤装置の鍵アセンブリを示す上面図である。
【図１９】本発明の変形例における鍵盤装置の鍵アセンブリを示す上面図である。
【発明を実施するための形態】
【００２３】
以下、本発明の一実施形態における鍵盤装置について、図面を参照しながら詳細に説明する。以下に示す実施形態は本発明の実施形態の一例であって、本発明はこれらの実施形態に限定して解釈されるものではない。なお、本実施形態で参照する図面において、同一部分または同様な機能を有する部分には同一の符号または類似の符号（数字の後にＡ、Ｂ等を付しただけの符号）を付し、その繰り返しの説明は省略する場合がある。また、図面の寸法比率（各構成間の比率、縦横高さ方向の比率等）は説明の都合上実際の比率とは異なったり、構成の一部が図面から省略されたりする場合がある。
【００２４】
以下の説明で用いる方向（回動方向Ｒおよびヨーイング方向Ｙ）について定義する。回動方向Ｒは、鍵２の延びる方向（演奏者から見た手前から奥側方向）を軸として回動する方向に対応する。ヨーイング方向Ｙは、鍵２を上方から見たときに左右方向に曲がる方向である。鍵２のヨーイング方向Ｙの移動はスケール方向Ｓに曲がる（反る）ことに相当する。
【００２５】
＜第１実施形態＞
［鍵盤装置の全体構成］
本実施形態においては、鍵盤装置の一例として、その前面に演奏者によって演奏操作がなされる鍵が複数配列された鍵盤を有するグランドピアノについて説明する。しかしながら鍵盤装置はこれに限定されず、後述する鍵を有する鍵アセンブリによって駆動される鍵盤装置であればよい。
【００２６】
複数の鍵は、白鍵および黒鍵を含む。複数の白鍵と複数の黒鍵とは並んで配列されている。鍵の数は、Ｎ個であり、ここでは８８個とする。複数の鍵が配列された方向をスケール方向Ｓという。ここで白鍵および黒鍵を特に区別せずに説明する場合には、鍵２という。
【００２７】
［鍵盤アセンブリの構成］
図１は、鍵盤装置のアクション機構近傍を示す拡大図である。図１において各鍵２に対応して設けられている構成については、図示する１つの鍵２（この例では白鍵）に対応して設けられている各構成に着目して示し、他の鍵２に対応して設けられている各構成については記載を省略している。
【００２８】
なお、本明細書における説明において、上、下、左、右、手前および奥などの方向は、演奏するときの演奏者から鍵盤装置を見た場合の方向を示している。また、鍵前端側（鍵前方側）、鍵後端側（鍵後方側）のように、鍵２を基準として方向を示す場合もある。この場合、鍵前端側は鍵２に対して演奏者から見た手前側を示す。鍵後端側は鍵２に対して演奏者から見た奥側を示す。
【００２９】
図１に示すように、鍵盤装置の内部には、鍵盤アセンブリ１０が配置されている。鍵盤アセンブリ１０は、上述した鍵２を含む鍵アセンブリ１００、アクション機構４５、ハンマ４および棚板６を含む。棚板６は、鍵盤装置の筐体の底面に固定されている。
【００３０】
棚板６は、棚板６に対して略垂直方向に突出するバランスピン７を有する。鍵２は、鍵２の長手方向略中心に第１孔部２２を有する。鍵２の第１孔部２２の内側面は、棚板６のバランスピン７と鍵２の長手方向に摺動可能に接触する。バランスピン７は、鍵２を回動面（第１面）に沿って回動可能に接続する。さらに、バランスピン７は回動面と垂直な方向から第１孔部２２の内側面と接触する。バランスピン７が回動面と垂直な方向から第１孔部２２の内側面と接触することよって、バランスピン７は鍵２のスケール方向Ｓにおける位置を決める。すなわち、回動軸はスケール方向Ｓと平行に配置される。バランスピン７は、鍵２の第１孔部２２の位置で鍵アセンブリ１００を支持する支点となる。したがって、鍵２の押鍵動作によって、鍵アセンブリ１００はバランスピン７を支点に回動する。ここで鍵２は、複数の部材で構成されてもよく、異なる材料によって構成されてもよい。
【００３１】
棚板６は、棚板６に対して略垂直方向に突出するフロントピン８を有する。鍵２は、鍵２の前端部に、下方向に開口する第２孔部２４を有する。鍵２の第２孔部２４の内側面は、棚板６のフロントピン８と略上下方向に摺動可能に接触する。フロントピン８は、鍵２の前端部を回動方向Ｒに沿って移動可能に接続する。さらに、フロントピン８は回動面と垂直な方向から第２孔部２４の内側面と接触する。フロントピン８は回動面と垂直な方向から第２孔部２４の内側面と接触することよって、フロントピン８は鍵２のスケール方向Ｓにおける位置を決める。フロントピン８は、鍵２の第２孔部２４の位置（第１位置）で鍵アセンブリ１００のスケール方向Ｓへの移動を規制するように支持する。本実施形態においては、バランスピン７も、鍵２の第１孔部２２の位置（第２位置）で鍵アセンブリ１００のスケール方向Ｓへの移動を規制するように支持する。ここで第１位置および第２位置は、鍵アセンブリ１００のスケール方向Ｓへの移動を規制する位置と規定する。鍵アセンブリ１００のスケール方向Ｓへの移動を規制する位置は、１つの鍵２に２つ配置されることが好ましい。鍵アセンブリ１００のスケール方向Ｓへの移動を規制する位置を配置することで、鍵アセンブリ１００の押鍵動作によるスケール方向Ｓの横ぶれや捻じれ、環境変化および経年変化などによる反りなどを抑制することができる。ここで第２位置とは、鍵２の支点によらず、鍵２の最も後端側において鍵アセンブリ１００のスケール方向Ｓへの移動を規制する位置と定義する。なお、鍵２の構成については後で詳しく説明する。
【００３２】
鍵アセンブリ１００は、鍵２の支点（バランスピン７により支持される位置）より後端側にキャプスタンスクリュー９を有する。キャプスタンスクリュー９は、頭部１２と軸部１４を有する。キャプスタンスクリュー９の軸部１４は鍵２の上面側（押鍵される面側）に締結され、キャプスタンスクリュー９の頭部１２は鍵２の上方に配置される。すなわち、キャプスタンスクリュー９の頭部１２は、鍵２の上方に突出している。本実施形態において、キャプスタンスクリュー９は別体で示した。しかしながらこれに限定されず、鍵２とキャプスタンスクリュー９は一体であってもよい。
【００３３】
鍵アセンブリ１００の上には、アクション機構４５およびハンマ４がフレーム４０に対して回動可能に配置される。アクション機構４５およびハンマ４は、各鍵アセンブリ１００に対応して設けられる。アクション機構４５の下面に配置されるサポートヒール４３は、鍵アセンブリ１００のキャプスタンスクリュー９の上面と摺動可能に接触する。この摺動部分、すなわちアクション機構４５のサポートヒール４３と鍵アセンブリ１００のキャプスタンスクリュー９とが接触する部分は、鍵２の支点（バランスピン７により支持される位置）より後方であって鍵２の上方に位置する。
【００３４】
通常時（押鍵していないとき）には、アクション機構４５が鍵アセンブリ１００のキャプスタンスクリュー９上に載置された状態であり、鍵２の前端側を押し上げている。鍵２の前端側が押鍵されると、鍵アセンブリ１００は支点を中心に回動し、キャプスタンスクリュー９がアクション機構４５を介してハンマ４を上方に移動する。この結果、ハンマ４は、各鍵アセンブリ１００に対応して設けられた弦５を打撃する。弦５は、各鍵アセンブリ１００に対応した振動周波数を有し、ハンマ４からの打撃により発音する。鍵２が離鍵されると、鍵アセンブリ１００が支点を中心に回動して元に戻り、アクション機構４５およびハンマ４を下方に移動する。このため、キャプスタンスクリュー９はアクション機構４５を駆動し、一方で、鍵２に負荷を与える位置と定義する。したがって、キャプスタンスクリュー９に相当するものはアクション機構４５側に配置されてもよく、キャプスタンスクリュー９に相当するものとアクション機構４５とは一体であってもよい。
【００３５】
［鍵アセンブリの構成］
図２から図５を用いて、鍵アセンブリの構成を詳しく説明する。図２は、本発明の一実施形態における鍵盤装置の鍵アセンブリを示す上面図である。図３は本発明の一実施形態における鍵盤装置の鍵アセンブリを示す背面図である。図４および図５は本発明の一実施形態における鍵盤装置の鍵アセンブリを示す断面図である。図４は図２のＡ−Ａ’断面図であり、図５は図２のＢ−Ｂ’断面図である。
【００３６】
鍵盤装置を上方から見た場合、鍵アセンブリ１００の一部は、筐体の内部に存在している。鍵アセンブリ１００を上方から見た場合、鍵アセンブリ１００のうち筐体に覆われている部分を非外観部ＮＶといい、筐体から露出して演奏者から視認できる部分を外観部ＰＶという。外観部ＰＶは、鍵アセンブリ１００の一部であって、演奏者によって演奏操作が可能な領域を示す。以下、鍵２のうち外観部ＰＶによって露出されている部分を鍵本体部という場合がある。
【００３７】
鍵アセンブリ１００は、第１孔部２２および第２孔部２４を有する鍵２と、およびキャプスタンスクリュー９とを備える。しかしながらこれに限定されず、鍵アセンブリ１００は、鍵２に位置関係が固定され、押鍵動作によって一体として回動する構成を示す。鍵２の第１孔部２２の内側面は、バランスピン７と摺動可能に接触する。鍵２の第２孔部２４の内側面は、フロントピン８と摺動可能に接触する。鍵アセンブリ１００は、第１孔部２２の位置（第２位置）を中心に回動する。鍵アセンブリ１００は、回動時に、第２孔部２４の位置（第１位置）および第１孔部２２の位置（第２位置）で、スケール方向Ｓへの移動を規制するように支持されている。このため、鍵後端側からみた場合、鍵２の後端部Ｃは回動方向Ｒに沿って移動する。
【００３８】
本実施形態において、隣接する鍵アセンブリ１００のそれぞれの回動範囲における後端部Ｃの最小距離Ｃ１は、第１孔部２２の位置（第２位置）Ｅの最小距離Ｅ１より大きい。隣接する鍵アセンブリ１００のそれぞれの回動範囲におけるキャプスタンスクリュー９の位置Ｄの最小距離Ｄ１は、第１孔部２２の位置（第２位置）Ｅの最小距離Ｅ１より大きい。隣接する鍵アセンブリ１００のそれぞれの回動範囲における後端部Ｃの最小距離Ｃ１は、キャプスタンスクリュー９の位置Ｄの最小距離Ｄ１と略同一である。ここで図２および図５に示すように、第１孔部２２の位置（第２位置）Ｅが複数の鍵アセンブリ１００によって異なる場合、鍵２の前端側（演奏者から見た手前側）における第１孔部２２の位置（第２位置）Ｅにおける最小距離をＤ１とする。
【００３９】
鍵アセンブリ１００の後端部Ｃの最大幅Ｃ２は、第１孔部２２の位置（第２位置）Ｅの最大幅Ｅ２より小さい。鍵アセンブリ１００のキャプスタンスクリュー９の位置Ｄの最大幅Ｄ２は、第１孔部２２の位置（第２位置）Ｅの最大幅Ｅ２より小さい。鍵アセンブリ１００の後端部Ｃの最大幅Ｃ２は、キャプスタンスクリュー９の位置Ｄの最大幅Ｄ２と略同一である。すなわち、鍵アセンブリ１００は、第１孔部２２の位置（第２位置）Ｅより後端側で鍵幅が変化している。本実施形態において、鍵アセンブリ１００は、第１孔部２２の位置（第２位置）Ｅとキャプスタンスクリュー９の位置Ｄの間で鍵幅が不連続に変化している。
【００４０】
本実施形態において、それぞれの位置における鍵アセンブリ１００の最大幅は、それぞれの位置における鍵２の最大幅と同一である。しかしながらこれに限定されず、鍵アセンブリ１００がさらに別の部材を備える場合、鍵アセンブリ１００の最大幅は、一体に回動する部材を含めたものの最大幅である。本実施形態において鍵２は上下方向に略同一の幅を有する。しかしながらこれに限定されず、鍵２が上下方向に異なる幅を有してもよい。この場合、鍵アセンブリ１００の最大幅は上下方向で最も大きい幅である。また、この場合、隣接する鍵アセンブリ１００のそれぞれの回動範囲における各位置での最小距離は、各位置での鍵アセンブリ１００の最大幅間のスケール方向における距離を示す。例えば、下面が幅広の鍵アセンブリ１００と上面が幅広の鍵アセンブリ１００とが交互に配置される場合、隣接する鍵アセンブリ１００のそれぞれの回動範囲における各位置での最小距離は、鍵アセンブリ１００の幅広である下面の端部から、隣接する鍵アセンブリ１００の幅広である上面の端部までのスケール方向における距離を示す。
【００４１】
鍵アセンブリ１００の後端部Ｃにおける中心軸は、第１孔部２２の位置（第２位置）Ｅにおける中心軸とずれている。鍵アセンブリ１００のキャプスタンスクリュー９の位置Ｄにおける中心軸は、第１孔部２２の位置（第２位置）Ｅにおける中心軸とずれている。鍵アセンブリ１００の後端部Ｃにおける中心軸は、キャプスタンスクリュー９の位置Ｄにおける中心軸と略一致する。すなわち、鍵アセンブリ１００は後端部Ｃおよびキャプスタンスクリュー９の位置Ｄと、第１孔部２２の位置（第２位置）Ｅとで、スケール方向に重心がずれている。ここで中心軸とは、鍵アセンブリ１００を上方から見た場合、鍵アセンブリ１００の長手方向を軸としてスケール方向の中心を示す。
【００４２】
本実施形態において、非外観部ＮＶにおける鍵アセンブリ１００はストレートである。すなわち、鍵アセンブリ１００を上方から見た場合、鍵アセンブリ１００の軸が平行である。しかしながらこれに限定されず、例えば、鍵アセンブリ１００の軸は屈曲していてもよい。この場合、外観部ＰＶにおける鍵アセンブリ１００の軸と、少なくともキャプスタンスクリュー９の位置Ｄから後端部Ｃまでの領域における鍵アセンブリ１００の軸とは平行であってもよい。
【００４３】
以上のように、本実施形態に係る鍵アセンブリ１００によると、隣接する鍵アセンブリ１００のそれぞれの回動範囲における後端部Ｃの最小距離Ｃ１が、第１孔部２２の位置（第２位置）Ｅの最小距離Ｅ１より大きいことで、隣接する鍵アセンブリ１００が環境変化および経年変化により受ける影響および演奏時の押鍵動作による鍵の横ぶれや捻じれによる影響を抑制することができる。また、鍵アセンブリ１００の第１孔部２２の位置（第２位置）Ｅの最大幅Ｅ２を変えずに、後端部Ｃおよびキャプスタンスクリュー９の位置Ｄの最大幅を小さくすることで、鍵２の剛性を維持することができる。このため、本実施形態に係る鍵盤装置は、信頼性を維持することができる。
【００４４】
＜第２実施形態＞
第２実施形態では、第１実施形態における鍵アセンブリ１００とは異なる構成の鍵アセンブリ１００ａについて説明する。第２実施形態においては、隣接する鍵アセンブリ１００ａのそれぞれの回動範囲における後端部Ｃの最小距離Ｃ１ａは、キャプスタンスクリュー９ａの位置Ｄの最小距離Ｄ１ａより大きいことが第１実施形態と相違する。なお、第１実施形態と同様である部分は、前の説明と同じ番号を付すことで繰り返しの説明は省略する。
【００４５】
［鍵アセンブリの構成］
図６から図９を用いて、鍵アセンブリの構成を詳しく説明する。図６は、本発明の一実施形態における鍵盤装置の鍵アセンブリを示す上面図である。図７は本発明の一実施形態における鍵盤装置の鍵アセンブリを示す背面図である。図８および図９は本発明の一実施形態における鍵盤装置の鍵アセンブリを示す断面図である。図８は図６のＡ−Ａ’断面図であり、図９は図６のＢ−Ｂ’断面図である。
【００４６】
本実施形態において、隣接する鍵アセンブリ１００ａのそれぞれの回動範囲における後端部Ｃの最小距離Ｃ１ａは、第１孔部２２ａの位置（第２位置）Ｅの最小距離Ｅ１ａより大きい。隣接する鍵アセンブリ１００ａのそれぞれの回動範囲における後端部Ｃの最小距離Ｃ１ａは、キャプスタンスクリュー９ａの位置Ｄの最小距離Ｄ１ａより大きい。隣接する鍵アセンブリ１００ａのそれぞれの回動範囲におけるキャプスタンスクリュー９ａの位置Ｄの最小距離Ｄ１ａは、第１孔部２２ａの位置（第２位置）Ｅの最小距離Ｅ１ａと略同一である。
【００４７】
鍵アセンブリ１００ａの後端部Ｃの最大幅Ｃ２ａは、第１孔部２２ａの位置（第２位置）Ｅの最大幅Ｅ２ａより小さい。鍵アセンブリ１００ａの後端部Ｃの最大幅Ｃ２ａは、キャプスタンスクリュー９ａの位置Ｄの最大幅Ｄ２ａより小さい。鍵アセンブリ１００ａのキャプスタンスクリュー９ａの位置Ｄの最大幅Ｄ２ａは、第１孔部２２ａの位置（第２位置）Ｅの最大幅Ｅ２ａと略同一である。すなわち、鍵アセンブリ１００ａは、キャプスタンスクリュー９ａの位置Ｄより後端側で鍵幅が変化している。本実施形態において、鍵アセンブリ１００ａは、キャプスタンスクリュー９ａの位置Ｄと後端部Ｃの間で鍵幅が不連続に変化している。
【００４８】
鍵アセンブリ１００ａの後端部Ｃにおける中心軸は、第１孔部２２ａの位置（第２位置）Ｅにおける中心軸とずれている。鍵アセンブリ１００ａの後端部Ｃにおける中心軸は、キャプスタンスクリュー９ａの位置Ｄにおける中心軸とずれている。鍵アセンブリ１００ａのキャプスタンスクリュー９ａの位置Ｄにおける中心軸は、第１孔部２２ａの位置（第２位置）Ｅにおける中心軸と略一致する。すなわち、鍵アセンブリ１００ａは後端部Ｃと、キャプスタンスクリュー９ａの位置Ｄおよび第１孔部２２ａの位置（第２位置）Ｅとで、スケール方向に重心がずれている。
【００４９】
以上のように、本実施形態に係る鍵アセンブリ１００ａによると、隣接する鍵アセンブリ１００ａのそれぞれの回動範囲における後端部Ｃの最小距離Ｃ１ａが、キャプスタンスクリュー９ａの位置Ｄの最小距離Ｄ１ａより大きいことで、隣接する鍵アセンブリ１００ａが環境変化および経年変化により受ける影響および演奏時の押鍵動作による鍵の横ぶれや捻じれによる影響を抑制することができる。また、鍵アセンブリ１００ａの第１孔部２２ａの位置（第２位置）Ｅの最大幅Ｅ２ａおよびキャプスタンスクリュー９ａの位置Ｄの最大幅Ｄ２ａを変えずに、後端部Ｃの最大幅Ｃ２ａを小さくすることで、鍵２ａの剛性を維持することができる。このため、本実施形態に係る鍵盤装置は、信頼性を維持することができる。
【００５０】
＜第３実施形態＞
第３実施形態では、第１実施形態および第２実施形態における鍵アセンブリとは異なる構成の鍵アセンブリ１００ｂについて説明する。第３実施形態においては、隣接する鍵アセンブリ１００ｂのそれぞれの回動範囲における後端部Ｃの最小距離Ｃ１ｂはキャプスタンスクリュー９ｂの位置Ｄの最小距離Ｄ１ｂより大きく、キャプスタンスクリュー９ｂの位置Ｄの最小距離Ｄ１ｂは第１孔部２２ｂの位置（第２位置）Ｅの最小距離Ｅ１ｂより大きいことが第１実施形態および第２実施形態と相違する。なお、第１実施形態および第２実施形態と同様である部分は、前の説明と同じ番号を付すことで繰り返しの説明は省略する。
【００５１】
［鍵アセンブリの構成］
図１０から図１３を用いて、鍵アセンブリの構成を詳しく説明する。図１０は、本発明の一実施形態における鍵盤装置の鍵アセンブリを示す上面図である。図１１は本発明の一実施形態における鍵盤装置の鍵アセンブリを示す背面図である。図１２および図１３は本発明の一実施形態における鍵盤装置の鍵アセンブリを示す断面図である。図１２は図１０のＡ−Ａ’断面図であり、図１３は図１０のＢ−Ｂ’断面図である。
【００５２】
本実施形態において、隣接する鍵アセンブリ１００ｂのそれぞれの回動範囲における後端部Ｃの最小距離Ｃ１ｂは、キャプスタンスクリュー９ｂの位置Ｄの最小距離Ｄ１ｂより大きい。隣接する鍵アセンブリ１００ｂのそれぞれの回動範囲におけるキャプスタンスクリュー９ｂの位置Ｄの最小距離Ｄ１ｂは、第１孔部２２ｂの位置（第２位置）Ｅの最小距離Ｅ１ｂより大きい。
【００５３】
鍵アセンブリ１００ｂの後端部Ｃの最大幅Ｃ２ｂは、キャプスタンスクリュー９ｂの位置Ｄの最大幅Ｄ２ｂより小さい。鍵アセンブリ１００ｂのキャプスタンスクリュー９ｂの位置Ｄの最大幅Ｄ２ｂは、第１孔部２２ｂの位置（第２位置）Ｅの最大幅Ｅ２ｂより小さい。すなわち、鍵アセンブリ１００ｂは、第１孔部２２ｂの位置（第２位置）Ｅより後端側で鍵幅が変化し、キャプスタンスクリュー９ｂの位置Ｄより後端側で鍵幅が変化している。本実施形態において、鍵アセンブリ１００ｂは、第１孔部２２ｂの位置（第２位置）Ｅとキャプスタンスクリュー９ｂの位置Ｄの間、キャプスタンスクリュー９ｂの位置Ｄと後端部Ｃの間では、それぞれ鍵幅が不連続に変化している。
【００５４】
鍵アセンブリ１００ｂの後端部Ｃにおける中心軸は、キャプスタンスクリュー９ｂの位置Ｄにおける中心軸とずれている。キャプスタンスクリュー９ｂの位置Ｄにおける中心軸は、第１孔部２２ｂの位置（第２位置）Ｅにおける中心軸とずれている。すなわち、鍵アセンブリ１００ｂは後端部Ｃと、キャプスタンスクリュー９ｂの位置Ｄと、第１孔部２２ｂの位置（第２位置）Ｅとでは、それぞれスケール方向に重心がずれている。
【００５５】
以上のように、本実施形態に係る鍵アセンブリ１００ｂによると、隣接する鍵アセンブリ１００ｂのそれぞれの回動範囲における後端部Ｃの最小距離Ｃ１ｂがキャプスタンスクリュー９ｂの位置Ｄの最小距離Ｄ１ｂより大きく、キャプスタンスクリュー９ｂの位置Ｄの最小距離Ｄ１ｂが第１孔部２２ｂの位置（第２位置）Ｅの最小距離Ｅ１ｂより大きいことで、隣接する鍵アセンブリ１００ｂが環境変化および経年変化により受ける影響および演奏時の押鍵動作による鍵の横ぶれや捻じれによる影響を抑制することができる。また、鍵アセンブリ１００ｂの第１孔部２２ｂの位置（第２位置）Ｅの最大幅Ｅ２ｂを変えずに、後端部Ｃの最大幅Ｃ２ｂおよびキャプスタンスクリュー９ｂの位置Ｄの最大幅Ｄ２ｂを小さくすることで、鍵２ｂの剛性を維持することができる。このため、本実施形態に係る鍵盤装置は、信頼性を維持することができる。
【００５６】
＜第４実施形態＞
第４実施形態では、第３実施形態における鍵アセンブリ１００ｂとは異なる構成の鍵アセンブリ１００ｃについて説明する。第４実施形態においては、鍵アセンブリ１００ｃの後端部Ｃにおける中心軸と、キャプスタンスクリュー９ｃの位置Ｄにおける中心軸と、第１孔部２２ｃの位置（第２位置）Ｅにおける中心軸とは略一致することが第３実施形態と相違する。なお、第１実施形態から第３実施形態と同様である部分は、前の説明と同じ番号を付すことで繰り返しの説明は省略する。
【００５７】
［鍵アセンブリの構成］
図１４を用いて、鍵アセンブリの構成を詳しく説明する。図１４は、本発明の一実施形態における鍵盤装置の鍵アセンブリを示す上面図である。
【００５８】
本実施形態において、隣接する鍵アセンブリ１００ｃのそれぞれの回動範囲における後端部Ｃの最小距離Ｃ１ｃは、キャプスタンスクリュー９ｃの位置Ｄの最小距離Ｄ１ｃより大きい。隣接する鍵アセンブリ１００ｃのそれぞれの回動範囲におけるキャプスタンスクリュー９ｃの位置Ｄの最小距離Ｄ１ｃは、第１孔部２２ｃの位置（第２位置）Ｅの最小距離Ｅ１ｃより大きい。
【００５９】
鍵アセンブリ１００ｃの後端部Ｃの最大幅Ｃ２ｃは、キャプスタンスクリュー９ｃの位置Ｄの最大幅Ｄ２ｃより小さい。鍵アセンブリ１００ｃのキャプスタンスクリュー９ｃの位置Ｄの最大幅Ｄ２ｃは、第１孔部２２ｃの位置（第２位置）Ｅの最大幅Ｅ２ｃより小さい。すなわち、鍵アセンブリ１００ｃは、第１孔部２２ｃの位置（第２位置）Ｅより後端側で鍵幅が変化し、キャプスタンスクリュー９ｃの位置Ｄより後端側で鍵幅が変化している。本実施形態において、鍵アセンブリ１００ｃは、第１孔部２２ｃの位置（第２位置）Ｅとキャプスタンスクリュー９ｃの位置Ｄの間、キャプスタンスクリュー９ｃの位置Ｄと後端部Ｃの間では、それぞれ鍵幅が不連続に変化している。
【００６０】
鍵アセンブリ１００ｃの後端部Ｃにおける中心軸と、キャプスタンスクリュー９ｃの位置Ｄにおける中心軸と、第１孔部２２ｃの位置（第２位置）Ｅにおける中心軸とは略一致する。すなわち、鍵アセンブリ１００ｃは後端部Ｃと、キャプスタンスクリュー９ｃの位置Ｄと、第１孔部２２ｃの位置（第２位置）Ｅとで、それぞれスケール方向に重心が略一致する。
【００６１】
以上のように、本実施形態に係る鍵アセンブリ１００ｃによると、隣接する鍵アセンブリ１００ｃのそれぞれの回動範囲における後端部Ｃの最小距離Ｃ１ｃがキャプスタンスクリュー９ｃの位置Ｄの最小距離Ｄ１ｃより大きく、キャプスタンスクリュー９ｃの位置Ｄの最小距離Ｄ１ｃが第１孔部２２ｃの位置（第２位置）Ｅの最小距離Ｅ１ｃより大きいことで、隣接する鍵アセンブリ１００ｃが環境変化および経年変化により受ける影響および演奏時の押鍵動作による鍵の横ぶれや捻じれによる影響を抑制することができる。また、鍵アセンブリ１００ｃの第１孔部２２ｃの位置（第２位置）Ｅの最大幅Ｅ２ｃを変えずに、後端部Ｃの最大幅Ｃ２ｃおよびキャプスタンスクリュー９ｃの位置Ｄの最大幅Ｄ２ｃを小さくすることで、鍵２ｃの剛性を維持することができる。このため、本実施形態に係る鍵盤装置は、信頼性を維持することができる。
【００６２】
＜第５実施形態＞
第５実施形態では、第４実施形態における鍵アセンブリ１００ｃと、後端部Ｃの最大幅Ｃ２ｄと、キャプスタンスクリュー９ｄの位置Ｄの最大幅Ｄ２ｄと、第１孔部２２ｄの位置（第２位置）Ｅの最大幅Ｅ２ｄが略同一である鍵アセンブリ１００ｄとが交互に配置されることが、第４実施形態と相違する。なお、第１実施形態から第４実施形態と同様である部分は、前の説明と同じ番号を付すことで繰り返しの説明は省略する。
【００６３】
［鍵アセンブリの構成］
図１５を用いて、鍵アセンブリの構成を詳しく説明する。図１５は、本発明の一実施形態における鍵盤装置の鍵アセンブリを示す上面図である。
【００６４】
鍵アセンブリ１００ｄの後端部Ｃの最大幅Ｃ２ｄと、キャプスタンスクリュー９ｄの位置Ｄの最大幅Ｄ２ｄと、第１孔部２２ｄの位置（第２位置）Ｅの最大幅Ｅ２ｄが略同一である。鍵アセンブリ１００ｃと鍵アセンブリ１００ｄとは交互に配置される。
【００６５】
本実施形態において、隣接する鍵アセンブリ１００ｃと鍵アセンブリ１００ｄのそれぞれの回動範囲における後端部Ｃの最小距離Ｃ１は、キャプスタンスクリュー９ｄの位置Ｄの最小距離Ｄ１より大きい。隣接する鍵アセンブリ１００ｃと鍵アセンブリ１００ｄのそれぞれの回動範囲におけるキャプスタンスクリュー９ｄの位置Ｄの最小距離Ｄ１は、第１孔部２２ｄの位置（第２位置）Ｅの最小距離Ｅ１より大きい。
【００６６】
以上のように、本実施形態に係る鍵アセンブリ１００ｃと鍵アセンブリ１００ｄを交互に配置する構成によると、隣接する鍵アセンブリ１００ｃと鍵アセンブリ１００ｄのそれぞれの回動範囲における後端部Ｃの最小距離Ｃ１がキャプスタンスクリュー９ｄの位置Ｄの最小距離Ｄ１より大きく、キャプスタンスクリュー９ｄの位置Ｄの最小距離Ｄ１が第１孔部２２ｄの位置（第２位置）Ｅの最小距離Ｅ１より大きいことで、隣接する鍵アセンブリ１００ｃと鍵アセンブリ１００ｄが環境変化および経年変化により受ける影響および演奏時の押鍵動作による鍵の横ぶれや捻じれによる影響を抑制することができる。このため、本実施形態に係る鍵盤装置は、信頼性を維持することができる。
【００６７】
＜第６実施形態＞
第６実施形態では、第２実施形態における鍵アセンブリ１００ａとは異なる構成の鍵アセンブリ１００ｅについて説明する。第６実施形態においては、鍵アセンブリ１００ｅが一部屈曲していることが第２実施形態の鍵アセンブリ１００ａと相違する。なお、第１実施形態から第５実施形態と同様である部分は、前の説明と同じ番号を付すことで繰り返しの説明は省略する。
【００６８】
［鍵アセンブリの構成］
図１６を用いて、鍵アセンブリの構成を詳しく説明する。図１６は、本発明の一実施形態における鍵盤装置の鍵アセンブリを示す上面図である。
【００６９】
本実施形態において、鍵アセンブリ１００ｅは一部屈曲している。外観部ＰＶにおける鍵アセンブリ１００ｅの軸と、少なくともキャプスタンスクリュー９ｅの位置Ｄから後端部Ｃまでの領域における鍵アセンブリ１００ｅの軸とは平行である。しかしながらこれに限定されず、外観部ＰＶにおける鍵アセンブリ１００ｅの軸と、キャプスタンスクリュー９ｅの位置Ｄから後端部Ｃまでの領域における鍵アセンブリ１００ｅの軸とは平行でなくてもよい。
【００７０】
本実施形態において、隣接する鍵アセンブリ１００ｅのそれぞれの回動範囲における後端部Ｃの最小距離Ｃ１ｅは、第１孔部２２ｅの位置（第２位置）Ｅの最小距離Ｅ１ｅより大きい。隣接する鍵アセンブリ１００ｅのそれぞれの回動範囲における後端部Ｃの最小距離Ｃ１ｅは、キャプスタンスクリュー９ｅの位置Ｄの最小距離Ｄ１ｅより大きい。
【００７１】
鍵アセンブリ１００ｅの後端部Ｃの最大幅Ｃ２ｅは、第１孔部２２ｅの位置（第２位置）Ｅの最大幅Ｅ２ｅより小さい。鍵アセンブリ１００ｅの後端部Ｃの最大幅Ｃ２ｅは、キャプスタンスクリュー９ｅの位置Ｄの最大幅Ｄ２ｅより小さい。すなわち、鍵アセンブリ１００ｅは、キャプスタンスクリュー９ｅの位置Ｄより後端側で鍵幅が変化している。本実施形態において、鍵アセンブリ１００ｅは、キャプスタンスクリュー９ｅの位置Ｄと後端部Ｃの間で鍵幅が不連続に変化している。
【００７２】
別言すると、本実施形態に係る鍵アセンブリ１００ｅは、外観部ＰＶにおける鍵アセンブリ１００ｅの軸と平行である後端部Ｃを含む領域において鍵幅が変化している。鍵アセンブリ１００ｅは、外観部ＰＶにおける鍵アセンブリ１００ｅの軸と平行である領域において後端部Ｃの最大幅Ｃ２ｅが最も小さい。このため隣接する鍵アセンブリ１００ｅの最小距離は、外観部ＰＶにおける鍵アセンブリ１００ｅの軸と平行である後端部Ｃを含む領域において変化している。隣接する鍵アセンブリ１００ｅの最小距離は、外観部ＰＶにおける鍵アセンブリ１００ｅの軸と平行である領域において後端部Ｃの最小距離Ｃ１ｅが最も大きい。
【００７３】
以上のように、本実施形態に係る鍵アセンブリ１００ｅによると、隣接する鍵アセンブリ１００ｅのそれぞれの回動範囲における後端部Ｃの最小距離Ｃ１ｅが、キャプスタンスクリュー９ｅの位置Ｄの最小距離Ｄ１ｅより大きいことで、隣接する鍵アセンブリ１００ｅが環境変化および経年変化により受ける影響および演奏時の押鍵動作による鍵の横ぶれや捻じれによる影響を抑制することができる。また、鍵アセンブリ１００ｅの第１孔部２２ｅの位置（第２位置）Ｅの最大幅Ｅ２ｅおよびキャプスタンスクリュー９ｅの位置Ｄの最大幅Ｄ２ｅを変えずに、後端部Ｃの最大幅Ｃ２ｅを小さくすることで、鍵２ｅの剛性を維持することができる。このため、本実施形態に係る鍵盤装置は、信頼性を維持することができる。
【００７４】
＜第７実施形態＞
第７実施形態における鍵アセンブリ１００ｆは、後端部Ｃの最大幅Ｃ２ｆと、キャプスタンスクリュー９ｆの位置Ｄの最大幅Ｄ２ｆと、第１孔部２２ｆの位置（第２位置）Ｅの最大幅Ｅ２ｆが略同一である。第７実施形態においては、隣接する鍵アセンブリ１００ｆのそれぞれの回動範囲における後端部Ｃの最小距離Ｃ１ｆは、第１孔部２２ｆの位置（第２位置）Ｅの最小距離Ｅ１ｆより大きい。なお、第１実施形態から第６実施形態と同様である部分は、前の説明と同じ番号を付すことで繰り返しの説明は省略する。
【００７５】
［鍵アセンブリの構成］
図１７を用いて、鍵アセンブリの構成を詳しく説明する。図１７は、本発明の一実施形態における鍵盤装置の鍵アセンブリを示す上面図である。
【００７６】
本実施形態において、鍵アセンブリ１００ｆは一部屈曲している。外観部ＰＶにおける鍵アセンブリ１００ｆの軸と、少なくともキャプスタンスクリュー９ｆの位置Ｄから後端部Ｃまでの領域における鍵アセンブリ１００ｆの軸とは平行である。鍵アセンブリ１００ｆの後端部Ｃの最大幅Ｃ２ｆと、キャプスタンスクリュー９ｆの位置Ｄの最大幅Ｄ２ｆと、第１孔部２２ｆの位置（第２位置）Ｅの最大幅Ｅ２ｆとは略同一である。すなわち、鍵アセンブリ１００ｆは、第１孔部２２ｆの位置（第２位置）Ｅより後端側で鍵幅が変化しない。
【００７７】
本実施形態において、隣接する鍵アセンブリ１００ｆのそれぞれの回動範囲における後端部Ｃの最小距離Ｃ１ｆは、第１孔部２２ｆの位置（第２位置）Ｅの最小距離Ｅ１ｆより大きい。隣接する鍵アセンブリ１００ｆのそれぞれの回動範囲におけるキャプスタンスクリュー９ｆの位置Ｄの最小距離Ｄ１ｆは、第１孔部２２ｆの位置（第２位置）Ｅの最小距離Ｅ１ｆより大きい。
【００７８】
以上のように、本実施形態に係る鍵アセンブリ１００ｆによると、隣接する鍵アセンブリ１００ｆのそれぞれの回動範囲における後端部Ｃの最小距離Ｃ１ｆおよびキャプスタンスクリュー９ｆの最小距離Ｄ１ｆが第１孔部２２ｆの位置（第２位置）Ｅの最小距離Ｅ１ｆより大きいことで、隣接する鍵アセンブリ１００ｆが環境変化および経年変化により受ける影響および演奏時の押鍵動作による鍵の横ぶれや捻じれによる影響を抑制することができる。また、鍵アセンブリ１００ｆの第１孔部２２ｆの位置（第２位置）Ｅの最大幅Ｅ２ｆ、キャプスタンスクリュー９ｆの位置Ｄの最大幅Ｄ２ｆ、後端部Ｃの最大幅Ｃ２ｆを変えずに、隣接する鍵アセンブリ１００ｆのそれぞれの回動範囲における後端部Ｃの最小距離Ｃ１ｆおよびキャプスタンスクリュー９ｆの最小距離Ｄ１ｆを大きくすることができ、鍵２ｆの剛性を維持することができる。このため、本実施形態に係る鍵盤装置は、信頼性を維持することができる。
【００７９】
＜変形例１＞
変形例１は第３実施形態における鍵アセンブリ１００ｂの変形例について説明する。図１８は、本発明の変形例における鍵盤装置の鍵アセンブリを示す上面図である。
【００８０】
鍵アセンブリ１００ｇの後端部Ｃの最大幅Ｃ２ｇは、キャプスタンスクリュー９ｇの位置Ｄの最大幅Ｄ２ｇより小さい。鍵アセンブリ１００ｇのキャプスタンスクリュー９ｇの位置Ｄの最大幅Ｄ２ｇは、第１孔部２２ｇの位置（第２位置）Ｅの最大幅Ｅ２ｇより小さい。すなわち、鍵アセンブリ１００ｇは、第１孔部２２ｇの位置（第２位置）Ｅより後端側で鍵幅が変化し、キャプスタンスクリュー９ｇの位置Ｄより後端側で鍵幅が変化している。本変形例において、鍵アセンブリ１００ｇは、第１孔部２２ｇの位置（第２位置）Ｅと後端部Ｃの間で、鍵幅が連続的に変化している。
【００８１】
＜変形例２＞
変形例２は第１実施形態における鍵アセンブリ１００の変形例について説明する。図１９は、本発明の変形例における鍵盤装置の鍵アセンブリを示す上面図である。
【００８２】
本変形例において、鍵アセンブリ１００ｈの後端部Ｃの最大幅Ｃ２ｈは、第１孔部２２ｈの位置（第２位置）Ｅの最大幅Ｅ２ｈより小さい。鍵アセンブリ１００ｈのキャプスタンスクリュー９ｈの位置Ｄの最大幅Ｄ２ｈは、後端部Ｃの最大幅Ｃ２ｈおよび第１孔部２２ｈの位置（第２位置）Ｅの最大幅Ｅ２ｈより小さくてもよい。
【００８３】
＜変形例３＞
本実施形態においては、鍵盤装置の一例としてグランドピアノの鍵盤アセンブリを示した。しかしながらこれらに限定されず、本発明の実施形態は、スケール方向Ｓへの移動を規制する第１位置および第２位置を有する鍵盤装置に適応することができる。鍵盤装置の一例としては、例えば、電子ピアノであってもよい。
【００８４】
本発明の実施形態として上述した実施形態および変形例は、相互に矛盾しない限りにおいて、適宜組み合わせて実施することができる。また、実施形態の鍵アセンブリを基にして、当業者が適宜構成要素の追加、削除もしくは設計変更を行ったものも、本発明の要旨を備えている限り、本発明の範囲に含まれる。
【符号の説明】
【００８５】
２  鍵、４  ハンマ、５  弦、６  棚板、７  バランスピン、８  フロントピン、９  キャプスタンスクリュー、１０  鍵盤アセンブリ、１２  頭部、１４  軸部、２２  第１孔部、２４  第２孔部、４０  フレーム、４３  サポートヒール、４５  アクション機構、１００  鍵アセンブリ
【図１】
2019186632.tif 000003
【図２】
2019186632.tif 000004
【図３】
2019186632.tif 000005
【図４】
2019186632.tif 000006
【図５】
2019186632.tif 000007
【図６】
2019186632.tif 000008
【図７】
2019186632.tif 000009
【図８】
2019186632.tif 000010
【図９】
2019186632.tif 000011
【図１０】
2019186632.tif 000012
【図１１】
2019186632.tif 000013
【図１２】
2019186632.tif 000014
【図１３】
2019186632.tif 000015
【図１４】
2019186632.tif 000016
【図１５】
2019186632.tif 000017
【図１６】
2019186632.tif 000018
【図１７】
2019186632.tif 000019
【図１８】
2019186632.tif 000020
【図１９】
2019186632.tif 000021
【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
後端部と前端部の間の支点を中心に第１面に沿って回動可能に配置され、第１位置および前記第１位置より後端側の第２位置において他の部材と前記第１面に沿って摺動可能に接する第１鍵アセンブリと、
前記第１鍵アセンブリの隣において後端部と前端部の間の支点を中心に前記第１面に沿って回動可能に配置され、第３位置および当該第３位置より後端側の第４位置において他の部材と前記第１面に沿って摺動可能に接し、前記第１鍵アセンブリの回動範囲において、後端部における前記第１鍵アセンブリまでの最小距離が前記第２位置における前記第１鍵アセンブリまでの最小距離よりも大きい関係を有する第２鍵アセンブリと、
前記第１鍵アセンブリの前記第２鍵アセンブリとは反対側の隣において後端部と前端部の間の支点を中心に前記第１面に沿って回動可能に配置され、第５位置および当該第５位置より後端側の第６位置において他の部材と前記第１面に沿って摺動可能に接し、前記第１鍵アセンブリの回動範囲において、後端部における前記第１鍵アセンブリまでの最小距離が前記第２位置における前記第１鍵アセンブリまでの最小距離よりも大きい関係を有する第３鍵アセンブリと、
を備える鍵盤装置。
【請求項２】
前記第１鍵アセンブリは、前記第２位置より後端側に前記第１鍵アセンブリに対して負荷がかかる第７位置を備え、
前記第２鍵アセンブリは、前記第４位置より後端側に前記第２鍵アセンブリに対して負荷がかかる第８位置を備え、前記第１鍵アセンブリの回動範囲において、後端部における前記第１鍵アセンブリまでの最小距離が前記第７位置における前記第１鍵アセンブリまでの最小距離よりも大きい関係を有し、
前記第３鍵アセンブリは、前記第６位置より後端側に前記第３鍵アセンブリに対して負荷がかかる第９位置を備え、前記第１鍵アセンブリの回動範囲において、後端部における前記第１鍵アセンブリまでの最小距離が前記第７位置における前記第１鍵アセンブリまでの最小距離よりも大きい関係を有する、請求項１に記載の鍵盤装置。
【請求項３】
前記第１鍵アセンブリは、前記第２位置より後端側に第１キャプスタンを備え、
前記第２鍵アセンブリは、前記第４位置より後端側に第２キャプスタンを備え、前記第１鍵アセンブリの回動範囲において、後端部における前記第１鍵アセンブリまでの最小距離が前記第１キャプスタンの位置における前記第１鍵アセンブリまでの最小距離よりも大きい関係を有し、
前記第３鍵アセンブリは、前記第６位置より後端側に第３キャプスタンを備え、前記第１鍵アセンブリの回動範囲において、後端部における前記第１鍵アセンブリまでの最小距離が前記第１キャプスタンの位置における前記第１鍵アセンブリまでの最小距離よりも大きい関係を有する、請求項１に記載の鍵盤装置。
【請求項４】
前記第２鍵アセンブリは、前記第１鍵アセンブリの回動範囲において、第１キャプスタンの位置における前記第１鍵アセンブリまでの最小距離が前記第２位置における前記第１鍵アセンブリまでの最小距離よりも大きい関係を有し、
前記第３鍵アセンブリは、前記第１鍵アセンブリの回動範囲において、第１キャプスタンの位置における前記第１鍵アセンブリまでの最小距離が前記第２位置における前記第１鍵アセンブリまでの最小距離よりも大きい関係を有する
請求項３に記載の鍵盤装置。
【請求項５】
前記第１鍵アセンブリは、後端部の鍵幅が前記第２位置の鍵幅よりも小さい関係を有する請求項３に記載の鍵盤装置。
【請求項６】
前記第１鍵アセンブリは、後端部の鍵幅が前記第１キャプスタンの位置の鍵幅よりも小さい関係を有する請求項３に記載の鍵盤装置。
【請求項７】
前記第１鍵アセンブリは、前記第１キャプスタンの位置の鍵幅が前記第２位置の鍵幅よりも小さい関係を有する請求項４に記載の鍵盤装置。
【請求項８】
前記第１鍵アセンブリは、前記第２位置より後端側で鍵幅が不連続に変化する、請求項５に記載の鍵盤装置。
【請求項９】
前記第１鍵アセンブリは、前記第１キャプスタンより後端側で鍵幅が不連続に変化する、請求項６に記載の鍵盤装置。
【請求項１０】
前記第１鍵アセンブリは、前記第２位置から前記第１キャプスタンまでの間で鍵幅が不連続に変化する、請求項７に記載の鍵盤装置。
【請求項１１】
前記第１鍵アセンブリは、後端部の中心軸と前記第２位置の中心軸とが前記第１面に対して垂直方向にずれる、請求項３乃至請求項１０の何れか１項に記載の鍵盤装置。
【請求項１２】
前記第１鍵アセンブリは、後端部の中心軸と前記第１キャプスタンの位置の中心軸とが前記第１面に対して垂直方向にずれる、請求項１１に記載の鍵盤装置。
【請求項１３】
前記第１鍵アセンブリは、前記第１キャプスタンの位置の中心軸と前記第２位置の中心軸とが前記第１面に対して垂直方向にずれる、請求項１２に記載の鍵盤装置。
【請求項１４】
第１面に沿って回動可能に配置され、第１位置および前記第１位置より後端側の第２位置において他の部材と前記第１面に沿って摺動可能に接し、前記第２位置より後端側にキャプスタンを備え、後端部の鍵幅が前記キャプスタンの位置の鍵幅よりも小さい関係を有する鍵アセンブリ、を備える鍵盤装置。
【請求項１５】
前記キャプスタンの位置の鍵幅が前記第２位置の鍵幅よりも小さい関係を有する請求項１４に記載の鍵盤装置。
【国際調査報告】
2019186632.tif 000022
2019186632.tif 000023
2019186632.tif 000024
2019186632.tif 000025